(57)【要約】【課題】床下空間内の湿度変化による床部材の吸湿及び乾燥を防止し、床部材の寸法変化を抑制することができる床下暖房システムを提供すること。【解決手段】建物基礎（床下基礎）２内に形成されると共に断熱された床下空間７に暖房装置Ｄを設置した床下暖房システムであって、床下空間７と、この床下空間７の上方に位置する室内空間８とを床部材３によって区画し、この床部材３は、床材９と、この床材９の下側に設けられた調湿機能を有する床下地材１１とを備えている。【選択図】図１
2007303729.tif 000002
【特許請求の範囲】
【請求項１】
床下基礎内に形成されると共に断熱された床下空間に暖房装置を設置した床下暖房システムであって、
前記床下空間と、この床下空間の上方に位置する室内空間とを床部材によって区画し、
この床部材は、床材と、この床材の下側に設けられた調湿機能を有する床下地材とを備えていることを特徴とする床下暖房システム。
【請求項２】
床下基礎内に形成されると共に断熱された床下空間に暖房装置を設置した床下暖房システムであって、
前記床下空間と、この床下空間の上方に位置する室内空間とを床部材によって区画し、
この床部材は、前記床下空間と前記室内空間とを連通する一対の連通孔を備え、これらの連通孔の少なくとも一方には、送風ファンが取り付けられたことを特徴とする床下暖房システム。
【請求項３】
床下基礎内に形成されると共に断熱された床下空間に暖房装置を設置した床下暖房システムであって、
前記床下空間と、この床下空間の上方に位置する室内空間とを床部材によって区画し、
この床部材は、床材と、この床材の下側に設けられた調湿機能を有する床下地材とを備えると共に、前記床下空間と前記室内空間とを連通する一対の連通孔を備え、これらの連通孔の少なくとも一方には、送風ファンが取り付けられたことを特徴とする床下暖房システム。
【発明の詳細な説明】
【技術分野】
【０００１】
本発明は、床下基礎内の断熱床下空間に設置された暖房装置によって床下の暖房を行う床下暖房システムに関するものである。
【背景技術】
【０００２】
従来から、断熱された床下空間内に放熱器を設置すると共に、この床下空間と室内空間とを区画する床部材に排気用通気口及び吸気用通気口を形成した建物が知られている（例えば、特許文献１参照）。
【０００３】
この建物では、床下空間の底面に調湿機能を有する木炭粒等の調湿材を敷き詰め、室内空間の湿度を調整するようになっている。
【０００４】
また、この建物は、床下空間を暖めることにより生じる床下空間と室内空間との温度差を利用して空気の自然対流を発生させ、床下空間内の空気を排気用通気口から室内空間に送り込むと共に、室内空間の空気を吸気用通気口から床下空間に送り込んで循環させるようになっている。
【特許文献１】特開２００５−２４１２２８号公報
【発明の開示】
【発明が解決しようとする課題】
【０００５】
ところで、上述の建物では、床下空間の底面に調湿材が敷き詰められているだけであるので、床下空間内の湿度が高いときには床部材が湿気を含んでしまい、床下空間が乾燥すると床部材も乾燥していた。そのため、この床下空間内の湿度変化によって床部材が吸湿と乾燥を繰り返し、寸法変化が生じるおそれがあった。
【０００６】
また、上述の建物では、床下空間と室内空間との温度差による自然対流により、床下空間の空気と室内空間の空気とを循環させている。そのため、床下空間と室内空間との温度差が小さいと、十分に空気を循環させることができないおそれが生じていた。
【０００７】
そこで、この発明は、床下空間内の湿度変化による床部材の吸湿及び乾燥を防止し、床部材の寸法変化を抑制することができる床下暖房システムを提供すると共に、床下空間と室内空間との空気の循環を十分に行うことができる床下暖房システムを提供することを課題としている。
【課題を解決するための手段】
【０００８】
上記課題を解決するために、請求項１に記載の発明は、床下基礎内に形成されると共に断熱された床下空間に暖房装置を設置した床下暖房システムであって、前記床下空間と、この床下空間の上方に位置する室内空間とを床部材によって区画し、この床部材は、床材と、この床材の下側に設けられた調湿機能を有する床下地材とを備えていることを特徴としている。
【０００９】
請求項２に記載の発明は、床下基礎内に形成されると共に断熱された床下空間に暖房装置を設置した床下暖房システムであって、前記床下空間と、この床下空間の上方に位置する室内空間とを床部材によって区画し、この床部材は、前記床下空間と前記室内空間とを連通する一対の連通孔を備え、これらの連通孔の少なくとも一方には、送風ファンが取り付けられたことを特徴としている。
【００１０】
請求項３に記載の発明は、床下基礎内に形成されると共に断熱された床下空間に暖房装置を設置した床下暖房システムであって、前記床下空間と、この床下空間の上方に位置する室内空間とを床部材によって区画し、この床部材は、床材と、この床材の下側に設けられた調湿機能を有する床下地材とを備えると共に、前記床下空間と前記室内空間とを連通する一対の連通孔を備え、これらの連通孔の少なくとも一方には、送風ファンが取り付けられたことを特徴としている。
【発明の効果】
【００１１】
本願請求項１の発明によれば、床部材が、床材とこの床材の下側に設けられた調湿機能を有する床下地材とを備えているので、床下空間内の湿気が高くなっても、調湿機能を有する床下地材によって湿気を吸着することができ、床材の吸湿を防止することができる。
【００１２】
また、床下空間内の湿気が低くなった場合には、床下地材から湿気が放出されて床材の乾燥を防止し、収縮を抑制することができる。
【００１３】
このように、床下空間内の湿気変化による床部材の吸湿及び乾燥を防止して、床部材の寸法変化を抑制することが可能となる。
【００１４】
本願請求項２の発明によれば、床部材が一対の連通孔を備えると共に、これらの連通孔の少なくとも一方に送風ファンが設けられたので、送風ファンによって床下空間と室内空間との空気を積極的に移動させることができる。そのため、床下空間と室内空間との空気を十分に循環させることが可能となる。
【００１５】
本願請求項３の発明によれば、床部材が、床材とこの床材の下側に設けられた調湿機能を有する床下地材とを備えると共に、一対の通気孔を備え、これらの通気孔の少なくとも一方に送風ファンが設けられている。これにより、床下空間内の湿気変化による床部材の吸湿及び乾燥を防止して、寸法変化を抑制することができると共に、送風ファンによって床下空間と室内空間との空気を十分に循環させることが可能となる。
【発明を実施するための最良の形態】
【００１６】
次に、図面に基づいて、この発明を実施するための最良の実施の形態の床下暖房システムを説明する。
【００１７】
図１において、１は本発明に係る床下暖房システムを備えた建物である。この建物１は、建物基礎（床下基礎）２と、この建物基礎２に支持された床部材３と、床部材３の周囲に立設された壁部４と、壁部４の上部に設けられた屋根部５とを有している。
【００１８】
建物基礎２は、鉄筋を配したコンクリート製であって、外周部分を囲む基礎立上り部２ａと、この基礎立上り部２ａの内側に連続して形成された基礎底部２ｂとを有している。そして、基礎立上り部２ａの内側が断熱材６で覆われ、この断熱材６の内側が床下空間７となっている。このように断熱材６の内側が床下空間７となっているので、この床下空間７は断熱されることとなる。
【００１９】
また、この床下空間７の底面となる基礎底部２ｂは、調湿材１０によって全面が覆われている。調湿材１０は、調湿機能を有するインシュレーションボードや木炭、竹炭、セラミック炭等により形成されている。
【００２０】
なお、「調湿機能」とは空気中の湿気が一定値以上であれば湿気を吸着し、空気中の湿気が一定値以下であれば自身に含まれる水分を放出して空気中の湿度を一定に保つ機能である。
【００２１】
そして、床部材３は、図示しない床梁や床根太等に保持されており、床下空間７と、この床下空間７の上方に位置すると共に壁部４及び屋根部５によって区画形成された室内空間８とを区画している。
【００２２】
また、この床部材３は、パーチクルボードや木材等により形成された床材９と、この床材９の下側、すなわち床下空間７に臨む面に設けられた床下地材１１とを備えている。
【００２３】
この床下地材１１は、調湿機能を有する炭シートや竹炭シート等により形成されており、図示しない接着層を介して床材９に一体に貼り付けられている。
【００２４】
さらに、この床部材３には、床下空間７と室内空間８とを連通する第一、第二連通孔１２、１３が形成されている。
【００２５】
第一、第二連通孔１２、１３は、それぞれ所定の大きさを有する開口であり、第一連通孔１２には送風ファン１４及び図示しないカバーが取り付けられ、第二連通孔１３には図示しないガラリが取り付けられている。
【００２６】
送風ファン１４は、床下空間７内の空気を吸い込んで室内空間８へと排出するものである。
【００２７】
そして、床下空間７内には、複数の暖房装置Ｄが設置されている。各暖房装置Ｄは、ＦＦストーブや蓄熱器、放熱板等であり、調湿材１０上に配設されている。なお、ここでは、第一連通孔１２の直下に対向する位置に少なくとも一台の暖房装置Ｄが設置されている。さらに、室内空間８には、加湿器Ｋが設置されている。
【００２８】
次に、この発明の床下暖房システムの作用について説明する。
【００２９】
この床下暖房システムを利用するには、まず、電力料金が低額となる時間帯（例えば午前１時から午前５時まで）に加湿器Ｋを運転し、室内空間８の湿度を高める。
【００３０】
ここで、室内空間８と床下空間７とが第一、第二連通孔１２、１３を介して連通しているので、室内空間８の湿気が床下空間７に入り込み、床下空間７内の調湿材１０及び床部材３の床下地材１１に吸湿される。
【００３１】
これにより、室内空間８及び床下空間７の結露が防止されると共に、適度な湿度が保持される。
【００３２】
そして、電力料金が低額となる時間帯以外（例えば、午前５時から翌日午前１時まで）は加湿器Ｋの運転を停止する。この間、調湿材１０及び床下地材１１に吸湿された湿気が徐々に空気中に放出され、電力を消費しなくとも適度な湿度を保持することができる。これにより、建物１内の湿度を適度に保持すると共に、運転コストを抑制することが可能となる。
【００３３】
一方、第一連通孔１２に取り付けられた送風ファン１４は常時運転される。これにより、図１に矢印で示すように、床下空間７内の空気が積極的に室内空間８に送り出されると共に、室内空間８内の空気が第二連通孔１３を介して床下空間７に押し出される。
【００３４】
このように、第一連通孔１２内に取り付けた送風ファン１４によって、空気を積極的に移動させることができるので、床下空間７と室内空間８との空気の温度差が少なくても、空気を十分に循環させることが可能となる。また、このとき空気と共に湿気も循環するので、建物１内の湿度をさらに適度に保持することができる。
【００３５】
さらに、床下空間７内に設置された暖房装置Ｄは、室内空間８内の温度に応じて適宜運転される。
【００３６】
暖房装置Ｄが運転されると、床下空間７と室内空間８との間に温度差が生じて自然対流が発生するので、さらに空気の循環を円滑に行うことができる。
【００３７】
特に、ここでは、第一連通孔１２の直下に対向する位置に暖房装置Ｄが設置されているので、この暖房装置Ｄによって暖められた空気が床下空間７内にとどまることなくすぐに室内空間８へと流れることができる。
【００３８】
これにより、熱量のロスが少なくなると共に、空気の循環をより効率よく行うことが可能となる。
【００３９】
そして、例えば室内空間８の温度を２０℃、床下空間７の温度を３０度程度とした場合、床下空間７内の相対湿度を３０％程度に調湿すれば、室内空間８の相対湿度を５０％程度にすることができる。
【００４０】
このように、加湿器Ｋ、暖房装置Ｄ、調湿材１０及び床下地材１１、さらに送風ファン１４を組み合わせて建物１内の調温、調湿を行うことにより、床下空間７内の湿度を高湿としなくとも、十分快適な状態を保持することができる。
【００４１】
また、床下空間７内が高湿にならないので、床下空間７に結露が発生することを防止することができる。
【００４２】
さらに、この発明の床下暖房システムでは、床部材３の床下地材１１が調湿機能を有しているので、床下空間内の湿気が高くなっても、この床下地材１１によって湿気を吸着することができ、床材９の吸湿を防止することができる。
【００４３】
また、床下空間７内の湿気が低くなった場合には、床下地材１１から湿気が放出されて床材９の乾燥を防止し、収縮を抑制することができる。
【００４４】
このように、床下空間７内の湿気変化による床材９の吸湿及び乾燥が防止でき、床部材３の寸法変化を抑制することが可能となる。
【００４５】
さらに、調湿材１０及び床下地材１１が床下空間７内に配設されているので、調湿材１０等の意匠を考慮する必要なく、必要に応じて設けることができる。そのため、施工性及び調湿性の向上及びコスト低減を図ることが可能となる。
【００４６】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００４７】
上述の実施の形態では、送風ファン１４が第一連通孔１２のみに取り付けられているが、第二連通孔１３にこの送風ファン１４を取り付けてもよい。また、第一、第二連通孔１２、１３の両方に送風ファン１４を取り付けてもよい。
【００４８】
また、加湿器Ｋを床下空間７内に設置してもよく、この場合、室内空間８が広くなって、スペースの有効利用をすることができる。
【００４９】
さらに、床下地材１１のみで床下空間７内の調湿を十分に行うことができる場合には、基礎底部２ｂの全面を調湿材１０で覆う必要はない。
【００５０】
そして、上述の実施の形態では、第一、第二連通孔１２、１３が所定の大きさを有する開口になっているが、床下空間７と室内空間８とを連通すればダクトであってもよい。
【図面の簡単な説明】
【００５１】
【図１】この発明に係る床下暖房システムを備えた建物を示す説明図である。
【符号の説明】
【００５２】
２      建物基礎（床下基礎）
３      床部材
７      床下空間
８      室内空間
９      床材
１１    床下地材
【図１】
2007303729.tif 000003